(57)【特許請求の範囲】
【請求項１】
かご又はつり合いおもりに装着され、ガイドレールに係合して上記かご又はつり合いおもりの昇降を案内するエレベータのガイド装置において、
上記かご又はつり合いおもりに装着され、断面矩形の収納溝を有する支え部材と、
一対の側辺部と底部とからなる断面コ字状の柱状体に作製され、上記収納溝に弾性支持されて上記支え部材に保持され、上記ガイドレールの係合部に外嵌状態に嵌合され、該係合部に対して摺動する樹脂製の摺動部材と、
上記摺動部材の上記一対の側辺部のそれぞれと上記底部とに係合し、該一対の側辺部を口開き状に弾性変形させる付勢手段と、を備え、
上記摺動部材が上記収納溝に収納された際に上記付勢手段に発生する復元力により、上記一対の側辺部が上記収納溝の内周壁面に押圧されて、該摺動部材が該収納溝に弾性支持されていることを特徴とするエレベータのガイド装置。
【請求項２】
上記付勢手段は捻りコイルばねであることを特徴とする請求項１記載のエレベータのガイド装置。
【請求項３】
凹部が上記一対の側辺部のそれぞれと上記底部との交差部内周に凹設されていることを特徴とする請求項１又は請求項２記載のエレベータのガイド装置。
【発明の詳細な説明】
【技術分野】
【０００１】
この発明は、エレベータのガイド装置に関するものである。
【背景技術】
【０００２】
従来のエレベータのガイド装置は、かご又はつり合いおもりに取り付けられた断面コ字状の支え部材と、断面コ字状に成形され、支え部材に装着されてガイドレールの係合部に係合し、ガイドレールに対して摺動してかご又はつり合いおもりの昇降を案内する摺動部材と、を備えている（例えば、特許文献１参照）。
【先行技術文献】
【特許文献】
【０００３】
【特許文献１】特開２００１−２７０６６９号公報
【発明の概要】
【発明が解決しようとする課題】
【０００４】
従来のエレベータのガイド装置では、詳細には説明されていないが、摺動部材は、支え部材の収納溝内に遊嵌状態に装着され、支え部材の溝方向の両端に取り付けられた押さえ部材により溝方向外方への抜けおよび溝開口からの飛び出しを防止されている。
そこで、かご又はつり合いおもりが昇降を開始する時、あるいはガイド部材がガイドレールのつなぎ目を通過する時、摺動部材が押さえ部材や支え部材の溝内壁面と衝突し、異音を発生し、乗り心地が低下するという問題があった。
【０００５】
この発明は、このような課題を解決するためになされたものであって、摺動部材を支え部材に弾性保持させて摺動部材の移動を抑制し、かご又はつり合いおもりの昇降開始時、あるいはガイドレールのつなぎ目通過時における異音の発生を抑え、乗り心地を向上できるエレベータのガイド装置を得ることを目的とする。
【課題を解決するための手段】
【０００６】
この発明に係るエレベータのガイド装置は、かご又はつり合いおもりに装着され、ガイドレールに係合して上記かご又はつり合いおもりの昇降を案内するものであり、上記かご又はつり合いおもりに装着され、断面矩形の収納溝を有する支え部材と、一対の側辺部と底部とからなる断面コ字状の柱状体に作製され、上記収納溝に弾性支持されて上記支え部材に保持され、上記ガイドレールの係合部に外嵌状態に嵌合され、該係合部に対して摺動する樹脂製の摺動部材と、上記摺動部材の上記一対の側辺部のそれぞれと上記底部とに係合し、該一対の側辺部を口開き状に弾性変形させる付勢手段と、を備え、上記摺動部材が上記収納溝に収納された際に上記付勢手段に発生する復元力により、上記一対の側辺部が上記収納溝の内周壁面に押圧されて、該摺動部材が該収納溝に弾性支持されている。
【発明の効果】
【０００７】
この発明によれば、摺動部材が収納溝に弾性支持されて支え部材に保持されている。そこで、かご又はつり合いおもりの昇降開始時、摺動部材と収納溝の内周壁面との間に発生する摩擦力が摺動部材をかご又はつり合いおもりの昇降に追従させるように働く。その結果、摺動部材がかご又はつり合いおもりの昇降に追従し、摺動部材と支え部材との衝突が回避される。また、仮に、摺動部材がかご又はつり合いおもりの昇降に追従できなくとも、摺動部材と支え部材との衝突力が摺動部材と収納溝の内周壁面との間に発生する摩擦力により著しく低減され、異音の発生が抑えられる。さらに、ガイド装置がガイドレールの継ぎ目を通過する時、ガイドレールの継ぎ目に段差があっても、摺動部材が収納溝の溝幅方向に揺動することがない。そこで、ガイド装置がガイドレールの継ぎ目を通過する時にも異音が発生しない。
【図面の簡単な説明】
【０００８】
【図１】この発明の実施の形態１に係るエレベータのガイド装置を適用したエレベータの構成を模式的に示す断面図である。
【図２】この発明の実施の形態１に係るエレベータのガイド装置を適用したエレベータのかごを示す正面図である。
【図３】この発明の実施の形態１に係るエレベータのガイド装置を適用したエレベータのガイド装置周りを示す要部側面図である。
【図４】この発明の実施の形態１に係るエレベータのガイド装置を示す正面図である。
【図５】図４のＶ−Ｖ矢視断面図である。
【図６】この発明の実施の形態１に係るエレベータのガイド装置を構成する摺動部材の構成を説明する上面図である。
【図７】この発明の実施の形態３に係るエレベータのガイド装置を構成する摺動部材の支え部に装着前の状態を示す上面図である。
【図８】この発明の実施の形態４に係るエレベータのガイド装置を構成する摺動部材を示す上面図である。
【発明を実施するための形態】
【０００９】
実施の形態１．
図１はこの発明の実施の形態１に係るエレベータのガイド装置を適用したエレベータの構成を模式的に示す断面図、図２はこの発明の実施の形態１に係るエレベータのガイド装置を適用したエレベータのかごを示す正面図、図３はこの発明の実施の形態１に係るエレベータのガイド装置を適用したエレベータのガイド装置周りを示す要部側面図、図４はこの発明の実施の形態１に係るエレベータのガイド装置を示す正面図、図５は図４のＶ−Ｖ矢視断面図である。図６はこの発明の実施の形態１に係るエレベータのガイド装置を構成する摺動部材の構成を説明する上面図であり、図６の（ａ）は支え部装着前の状態を示し、図６の（ｂ）は支え部装着した状態を示している。
【００１０】
図１および図２において、駆動綱車３およびそらせ車４が昇降路１の上部に形成された機械室２内に設置され、かご７およびつり合いおもり６が駆動綱車３とそらせ車４とに掛け渡されて昇降路１内に垂下された主ロープ５に吊り下げられている。かご７は、かご室８と、かご室８を支持するかご枠９と、から構成されている。かご枠９は、かご室８を支持する下枠１０と、主ロープ５の端部が固定される上枠１１と、下枠１０と上枠１１との端部同士を連結する一対の縦枠１２と、を備えている。そして、ガイド装置２０が、各縦枠１２の上下端側のそれぞれから延設された支持腕１３に取り付けられている。
なお、図示されていないが、ガイド装置２０は、同様に、つり合いおもり６の取り付け枠にも取り付けられている。
【００１１】
このように構成されたエレベータは、駆動綱車３がエレベータ制御盤１５により駆動制御され、かご７およびつり合いおもり６がかご用ガイドレール１６およびつり合いおもり用ガイドレール（図示せず）に案内されて昇降路１内を昇降する。
【００１２】
つぎに、ガイド装置２０の構成を図３乃至図６を参照しつつ説明する。
ガイド装置２０は、例えばポリエチレン樹脂などの樹脂材料を用いて作製され、底部２２と底部２２の両側部から相対して平行に立設された一対の側辺部２３とからなるコ字状に形成され、溝方向に所定の長さを有する柱状の樹脂成型体であり、かご用ガイドレール１６の係合部１６ａに外嵌状態に係合し、係合部１６ａに対して摺動してかご７の昇降を案内する摺動部材２１と、摺動部材２１に装着され、摺動部材２１の両側辺部２３を口開き状に弾性変形させるように付勢する付勢手段としての捻りコイルばね２６と、支持腕１３に固着され、摺動部材２１を保持する支え部材２９と、を備える。
【００１３】
捻りコイルばね２６は、ばね鋼の線材を巻回したコイル部２７と、コイル部２７の両端から延出する線材からなる一対の作動部２８と、から構成されている。この捻りコイルばね２６は、コイル部２７が摺動部材２１の底部２２と側辺部２３との交差部外周に溝方向の全域にわたって凹設された収納部２４内に収納され、一対の作動部２８が底部２２と側辺部２３とに挿入されて、摺動部材２１と一体にモールド成形されている。図示していないが、捻りコイルばね２６は、摺動部材２１の溝方向の両端側と中央との３箇所に、一対ずつ摺動部材２１に装着されている。
【００１４】
捻りコイルばね２６が装着された摺動部材２１は、支え部材２９に装着されていない状態では、図６の（ａ）に示されるように、捻りコイルばね２６の付勢力が底部２２と側辺部２３とのなす角度を大きくするように底部２２と側辺部２３とに作用し、両側辺部２３が口開き状に弾性変形している。つまり、摺動部材２１の溝開口幅Ｌ２が溝底部幅Ｌ１より広くなっている。
【００１５】
支え部材２９は、例えば鋼材を用いて、底部３１と底部３１の両側部から相対して平行に立設された一対の側辺部３２とからなり、断面矩形の収納溝を構成する断面コ字状の柱状体に作製され、溝方向に所定の長さを有する支え部３０と、支え部３０の溝方向の一端面に溶接などにより固着された鋼製の取付腕３４と、支え部３０と一体に形成され、一対の側辺部３２の外周面の溝方向の他端から直角に延設された一対のフランジ部３３と、一対のフランジ部３３に取付ねじ３５およびナット３６を用いて締着固定されて支え部３０の他端面に着脱可能に取り付けられた鋼製の押さえ部３７と、底部３１の外周面と取付腕３４の上面とに溶接などにより固着された補強部材３８と、を備えている。
【００１６】
取付腕３４には、かご用ガイドレール１６の係合部１６ａが挿通され、かつ摺動部材２１の支え部３０の溝方向一端からの抜けを阻止する内形形状の切り欠き３９が形成されている。また、押さえ部３７には、かご用ガイドレール１６の係合部１６ａが挿通され、かつ摺動部材２１の支え部３０の溝方向他端からの抜けを阻止する内形形状の切り欠き４０、および摺動部材２１の支え部３０の溝開口からの抜けを阻止するストッパ４１が形成されている。
【００１７】
このように構成されたガイド装置２０を組立てるには、まず、摺動部材２１の底部２２側を支え部３０の収納溝内に入れ、摺動部材２１の全体を支え部３０の収納溝内に押し入れる。ついで、押さえ部３７が支え部３０の溝方向の他端に載置され、取付ねじ３５およびナット３６を用いて一対のフランジ部３３に締着固定され、ガイド装置２０が組立てられる。
このように組立てられたガイド装置２０は、取付腕３４を、取付ねじ４２およびナット４３を用いて、縦枠１２から延設された支持腕１３に締着固定されて、かご７に取り付けられる。
【００１８】
このガイド装置２０では、摺動部材２１は、その両側辺部２３が弾性変形し、底部２２の外周壁面および両側辺部２３の外周壁面が支え部３０の底部３１の内周壁面および両側辺部３２の内周壁面に接して、支え部３０に装着されている。摺動部材２１の溝開口幅Ｌ２が、図６の（ｂ）に示されるように、溝底部幅Ｌ１とほぼ等しくなっている。そして、両側辺部２３の弾性変形により、復元力が捻りコイルばね２６のコイル部２７に蓄勢される。この復元力が作動部２８を介して側辺部２３に作用し、側辺部２３が支え部３０の側辺部３２に押圧される。これにより、摺動部材２１は支え部３０に弾性支持される。そこで、摺動部材２１の移動は摺動部材２１と支え部３０との間に発生する摩擦力により阻止される。また、摺動部材２１の収納溝からの抜けは、取付腕３４の切り欠き３９の縁部、押さえ部３７の切り欠き４０の縁部およびストッパ４１により阻止される。
【００１９】
また、捻りコイルばね２６のコイル部２７が摺動部材２１の底部２２と側辺部２３との交差部外周に凹設された収納部２４内に収納されているので、摺動部材２１を支え部３０に装着した際に、コイル部２７と支え部３０との接触が回避される。
【００２０】
ここで、摺動部材が支え部３０に遊嵌状態に収納されている場合の不具合について説明する。まず、かご７が昇降を開始する時、摩擦力がかご用ガイドレール１６の係合部１６ａと摺動部材との間に発生し、摺動部材がかご７の昇降に追従できず、取付腕３４あるいは押さえ部３７に当たり、異音が発生する。また、ガイド装置がかご用ガイドレール１６の継ぎ目を通過する際には、摺動部材がかご用ガイドレール１６の継ぎ目の段差により支え部３０の溝幅方向に揺動する。これにより、摺動部材が支え部３０の側辺部３２に当たり、異音が発生する。
【００２１】
この実施の形態１によれば、摺動部材２１の側辺部２３が捻りコイルばね２６の復元力により支え部３０の側辺部３２に押圧されて、摺動部材２１が支え部３０に弾性支持されているので、下記のように、異音の発生が抑制され、かご７の乗り心地が向上される。
【００２２】
まず、摺動部材２１と支え部３０との間に発生する摩擦力が、かご７が昇降を開始する時、摺動部材２１をかご７の昇降に追従させるように働く。その結果、摺動部材２１がかご７の昇降に追従し、摺動部材２１と取付腕３４あるいは押さえ部３７との衝突が回避される。また、仮に、摺動部材２１がかご７の昇降に追従できなくとも、摺動部材２１と取付腕３４あるいは押さえ部３７との衝突力が摺動部材２１と支え部３０との間に発生する摩擦力により著しく低減され、異音の発生が抑えられる。
ついで、ガイド装置２０がかご用ガイドレール１６の継ぎ目を通過する時、かご用ガイドレール１６の継ぎ目に段差があっても、摺動部材２１が支え部３０の溝幅方向に揺動することがない。そこで、ガイド装置２０がかご用ガイドレール１６の継ぎ目を通過する時に、異音が発生しない。
【００２３】
なお、この実施の形態１では、捻りコイルばねを摺動部材に一体のモールド成形するものとしているが、摺動部材をモールド成形後、その側辺部および底部に作動部挿入穴を形成し、作動部を摺動部材の側辺部および底部の作動部挿入穴に挿入して、捻りコイルばねを摺動部材に装着してもよい。
【００２４】
また、上記実施の形態１では、捻りコイルばねが摺動部材の溝方向の両端側と中央との３箇所に、一対ずつ装着されているものとしているが、捻りコイルばねの個数はこれに限定されるものではなく、例えば摺動部材の溝方向の長さの１／４の２箇所に、一対ずつ装着してもよい。
また、上記実施の形態１では、付勢手段として、捻りコイルばねを用いるものとしているが、付勢手段は捻りコイルばねに限定されるものではなく、例えば板ばねを用いてもよい。
【００２５】
実施の形態２．
この実施の形態２では、支え部の収納溝の内周壁面を粗面としている以外は、上記実施の形態１と同様に構成されている。
【００２６】
この実施の形態２では、支え部の収納溝の内周壁面が粗面に形成されているので、摺動部材と支え部との間に発生する摩擦力が大きくなる。そこで、かごの昇降開始時における異音の発生を確実に抑えることができる。
【００２７】
なお、上記実施の形態２では、支え部の収納溝の内周壁面を粗面としているが、摺動部材の外周壁面を粗面としてもよいし、支え部の収納溝の内周壁面および摺動部材の外周壁面の両者を粗面としてもよい。
【００２８】
実施の形態３．
図７はこの発明の実施の形態３に係るエレベータのガイド装置を構成する摺動部材の支え部に装着前の状態を示す上面図である。
【００２９】
図７において、摺動部材２１Ａには、凹部２５が、底部２２と両側辺部２３との交差部内周に溝方向の全域にわたって凹設されている。
なお、この実施の形態３は、摺動部材２１に代えて摺動部材２１Ａを用いている点を除いて、上記実施の形態１と同様に構成されている。
【００３０】
したがって、この実施の形態３においても、上記実施の形態１と同様の効果を奏する。
この実施の形態３によれば、凹部２５が、底部２２と両側辺部２３との交差部内周に溝方向の全域にわたって凹設されている。そこで、両側辺部２３が弾性変形しやすくなり、摺動部材２１Ａの支え部３０への装着性が高められるとともに、捻りコイルばね３０の小型化が図られる。また、かご用ガイドレール１６の係合部１６ａの角部と摺動部材２１Ａとの接触が凹部２５により回避され、摺動抵抗および摺動音を低下させることができる。
【００３１】
実施の形態４．
図８はこの発明の実施の形態４に係るエレベータのガイド装置を構成する摺動部材を示す上面図であり、図８の（ａ）は支え部装着前の状態を示し、図８の（ｂ）は支え部装着した状態を示している。
【００３２】
図８において、摺動部材４５は、例えばポリエチレン樹脂などの樹脂材料を用いて作製され、底部４６と底部４６の両側部から相対して平行に立設された一対の側辺部４７とからなるコ字状に形成され、溝方向に所定の長さを有する柱状の樹脂成型体である。そして、凹部４８が、底部４６と両側辺部４７との交差部内周に溝方向の全域にわたって凹設されている。
なお、この実施の形態４は、摺動部材２１に代えて摺動部材４５を用いている点を除いて、上記実施の形態１と同様に構成されている。
【００３３】
この摺動部材４５は、支え部３０に装着されていない状態では、図８の（ａ）に示されるように、溝開口が口開き状になっており、溝開口幅Ｌ２が溝底部幅Ｌ１より広くなっている。そして、摺動部材４５の底部４６側を支え部３０の収納溝内に入れ、摺動部材４５の全体を支え部３０の収納溝内に押し入れる。これにより、摺動部材４５は、図８の（ｂ）に示されるように、支え部３０の収納溝に装着される。このとき、摺動部材４５の両側辺部４７が溝開口幅を縮小するように弾性変形し、両側辺部４７が自身の復元力により支え部３０の両側辺部３２の内周壁面に押圧され、摺動部材４５が支え部３０に弾性支持される。そこで、両側辺部４７の外周壁面が支え部３０の両側辺部３２の内周壁面に接し、摺動部材４５の溝開口幅Ｌ２が、溝底部幅Ｌ１とほぼ等しくなっている。
【００３４】
したがって、この実施の形態４においても、上記実施の形態１と同様の効果を奏する。
この実施の形態４によれば、凹部４８が、底部４６と両側辺部４７との交差部内周に溝方向の全域にわたって凹設されている。そこで、両側辺部４７が曲がりやすくなり、摺動部材４５の支え部３０への装着性が高められる。また、かご用ガイドレール１６の係合部１６ａの角部と摺動部材４５との接触が凹部４８により回避され、摺動抵抗および摺動音を低下させることができる。
【００３５】
なお、上記各実施の形態では、ガイド装置をかごおよびつり合いおもりに装着するものとしているが、ガイド装置はかごおよびつり合いおもりの一方に装着してもよい。
また、上記各実施の形態では、支え部が断面コ字状の柱状体に作製されているものとしているが、支え部は、矩形断面の収納溝を有していればよく、その外形形状は特に限定されない。
【符号の説明】
【００３６】
６  つり合いおもり、７  かご、１６  かご用ガイドレール、２０  ガイド装置、２１，２１Ａ  摺動部材、２２  底部、２３  側辺部、２５  凹部、２６  捻りコイルばね、２９  支え部材、３０  支え部、４５  摺動部材、４６  底部、４７  側辺部、４８  凹部。
【図１】
0005455549.tif 000002
【図２】
0005455549.tif 000003
【図３】
0005455549.tif 000004
【図４】
0005455549.tif 000005
【図５】
0005455549.tif 000006
【図６】
0005455549.tif 000007
【図７】
0005455549.tif 000008
【図８】
0005455549.tif 000009